(57)【要約】【課題】  スタジオ内の観客席で撮影する際にもリモートコントローラを容易に制御することを可能にするスタジオカメラアダプタを提供する。【解決手段】本発明によれば、ポータブルビデオカメラをスタジオカメラとして利用するために使用されるスタジオカメラアダプタであって、前記ポータブルビデオカメラを取り付ける底部と、前記底部から立ち上がる側壁部を有する本体部と、前記側壁部に設けられ、且つ前記ポータブルビデオカメラのズーム・フォーカス・絞りのうちの少なくとも一つの調整に用いられるリモートコントローラを取り付けるためのリモートコントローラ取付部とを備えるスタジオカメラアダプタが提供される。【選択図】図５
2014082594.tif 000002
【特許請求の範囲】
【請求項１】
ポータブルビデオカメラをスタジオカメラとして利用するために使用されるスタジオカメラアダプタであって、前記ポータブルビデオカメラを取り付ける底部と、前記底部から立ち上がる側壁部を有する本体部と、
前記側壁部に設けられ、且つ前記ポータブルビデオカメラのズーム・フォーカス・絞りのうちの少なくとも一つの調整に用いられるリモートコントローラを取り付けるためのリモートコントローラ取付部とを備えるスタジオカメラアダプタ。
【請求項２】
前記底部の前端に設けられ且つスイッチャーからのタリー信号に従って制御されるタリー表示部をさらに備える請求項１に記載のスタジオカメラアダプタ。
【請求項３】
前記底部の前端に設けられ且つカメラマンからのスタンバイ信号に従って制御されるスタンバイ表示部をさらに備える請求項１又は請求項２に記載のスタジオカメラアダプタ。
【請求項４】
前記スタジオカメラアダプタ又は前記リモートコントローラは、カメラマンがスタンバイ信号を出力するためのスタンバイ信号出力部をさらに備え、前記スタンバイ信号が前記スタンバイ表示部に入力される請求項３に記載のスタジオカメラアダプタ。
【請求項５】
前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部をさらに備える請求項１〜請求項４の何れか１つに記載のスタジオカメラアダプタ。
【請求項６】
前記信号伝送アダプタ取付部の前記本体部側の面に設けられた信号中継器をさらに備える請求項５に記載のスタジオカメラアダプタ。
【請求項７】
前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の一方を選択する映像選択信号の入力を受け付ける映像選択信号入力部と、前記映像選択信号の状態に従って前記カメラ映像信号と前記リターン映像信号の一方を出力する映像出力部とを備える請求項６に記載のスタジオカメラアダプタ。
【請求項８】
前記側壁部の上部に設けられ且つビューファインダーを取付可能なビューファインダー取付部をさらに備える請求項１〜請求項７の何れか１つに記載のスタジオカメラアダプタ。
【請求項９】
前記ビューファインダー取付部には複数台のビューファインダーが取付可能であり、
前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の両方を出力する映像出力部とを備え、
前記カメラ映像信号と前記リターン映像信号は、別々のビューファインダーに入力される請求項８に記載のスタジオカメラアダプタ。
【請求項１０】
前記信号中継器は、前記信号伝送アダプタからのタリー信号の入力を受け付けるタリー信号入力部と、前記タリー信号を出力するタリー信号出力部とを備える請求項６〜請求項９の何れか１つに記載のスタジオカメラアダプタ。
【請求項１１】
前記信号中継器は、カメラマンからのスタンバイ信号の入力を受け付けるスタンバイ信号入力部と、
前記スタンバイ信号を出力するスタンバイ信号出力部とを備える請求項６〜請求項１０の何れか１つに記載のスタジオカメラアダプタ。
【請求項１２】
前記スタンバイ信号出力部から出力された前記スタンバイ信号は、スタンバイ表示部と、信号伝送アダプタの両方に出力され、前記スタンバイ信号は、前記伝送アダプタを通じて、スイッチャーに出力される請求項１１に記載のスタジオカメラアダプタ。
【請求項１３】
請求項１〜１２の何れか１つに記載のスタジオカメラアダプタと、
前記スタジオカメラアダプタの前記リモートコントローラ取付部に取付可能であり、且つ前記ポータブルビデオカメラのズーム・フォーカス・絞りのうちの少なくとも一つの調整に用いられるリモートコントローラとを備えるスタジオカメラアダプタシステム。
【請求項１４】
前記スタジオカメラアダプタは、請求項７に記載のスタジオカメラアダプタであり、
前記リモートコントローラは、少なくともフォーカスの調整に用いられであり、且つ前記映像選択信号を出力する映像選択信号出力部を備える請求項１３に記載のスタジオカメラアダプタシステム。
【発明の詳細な説明】
【技術分野】
【０００１】
本発明は、ポータブルビデオカメラをスタジオカメラとして利用するために使用されるスタジオカメラアダプタと、これを用いたスタジオカメラアダプタシステムに関する。
【背景技術】
【０００２】
テレビ局やプロダクション等のスタジオ内で番組制作用には、スタジオカメラと称される、大型で高価なビデオカメラが使用される。このようなカメラは、撮影映像が高品質であることに加えて、複数台のスタジオカメラを同時併行的に使用して撮影を行うために、スイッチャーからのタリー信号を表示するためのタリーランプがついていたり、スイッチャーからのリターン映像をビューファインダに表示することができるようになっている。
【０００３】
ところで、近年、小型で安価なポータルルビデオカメラの性能向上が著しく、ポータルルビデオカメラを用いた場合でも、放送用途に耐えうる映像を撮影することができるようになってきた。そこで、番組制作のコストダウンのために、ポータルルビデオカメラを放送用途に使用したいという要望が出てきた。
【０００４】
しかし、ポータルルビデオカメラは、スタジオカメラとしての利用が想定されておらず、複数台のビデオカメラを同時併行的に使用して撮影を行うのに適していない。
【０００５】
このような状況において、特許文献１には、ポータブルビデオカメラの取付部と、該取付部に装着される該ポータブルビデオカメラと、ビューファインダの取付部と、該取付部に装着される該ビューファインダと、オンエアタリーランプと、インターカム機能と、これらの信号授受用のコネクタパネルと、これらの信号処理用の電子回路部とを有しているスタジオカメラアダプタを、ポータブルビデオカメラに取り付けることによって、ポータブルビデオカメラに欠けている機能を補って、スタジオカメラとして利用可能にする技術が開示されている。
【先行技術文献】
【特許文献】
【０００６】
【特許文献１】特開２００９−８９１１４号公報
【発明の概要】
【発明が解決しようとする課題】
【０００７】
ところで、スタジオ内においては、カメラマンには常に十分に広い撮影場所が容易されているとは限らず、観客席で観客に混じって撮影をすることが強いられることもある。このような場合、ポータブルビデオカメラにスタジオカメラアダプタを取り付け、さらにそれを三脚に取り付けて撮影を行う。撮影には、ズーム・フォーカス・絞りの調整が必要であり、その調整は、通常、三脚のパーン棒に取り付けられたリモートコントローラを用いて行われる。しかし、観客席で撮影を行う場合、パーン棒に取り付けられたコントローラは、観客の脚と同じくらいの高さに位置するので、非常に操作しにくい。
【０００８】
本発明はこのような事情に鑑みてなされたものであり、スタジオ内の観客席で撮影する際にもリモートコントローラを容易に制御することを可能にするスタジオカメラアダプタを提供するものである。
【課題を解決するための手段】
【０００９】
本発明によれば、ポータブルビデオカメラをスタジオカメラとして利用するために使用されるスタジオカメラアダプタであって、前記ポータブルビデオカメラを取り付ける底部と、前記底部から立ち上がる側壁部を有する本体部と、
前記側壁部に設けられ、且つ前記ポータブルビデオカメラのズーム・フォーカス・絞りのうちの少なくとも一つの調整に用いられるリモートコントローラを取り付けるためのリモートコントローラ取付部とを備えるスタジオカメラアダプタが提供される。
【００１０】
リモートコントローラはパーン棒に取り付けて使用するというのが従来は常識であったが、本発明者は、この常識が却ってリモートコントローラを使いにくくしているのではないかと疑った。そして、このような常識に反して、スタジオカメラアダプタにリモートコントローラ取付部を設け、ここにリモートコントローラを取り付けたところ、スタジオカメラアダプタがパーン棒よりも高い位置にあるため、リモートコントローラの操作の際に、観客の脚が邪魔にならず、撮影をスムーズに行うことができ、本発明の完成に到った。
【００１１】
ところで、リモートコントローラには、１つのコントローラでズーム・フォーカス・絞りの３つを行うことができるものの他に、ズーム調整のみを行うことができるズームコントローラ、フォーカス調整のみを行うことができるフォーカスコントローラ、又はフォーカス調整と絞り調整のみを行うことができるフォーカス・絞りコントローラがある。ズームコントローラとフォーカス・絞りコントローラを用いて撮影を行う場合、例えば、右手でズームコントローラを操作し、左手でフォーカス・絞りコントローラを操作することによって、ズームとフォーカス・絞りの調整を同時に行うことができるという利点がある。この場合、ズームコントローラとフォーカス・絞りコントローラを取り付けるためにパーン棒が２本必要であるが、三脚には通常、パーン棒が１本しかついていないので、パーン棒を追加で購入して取り付ける必要がある。本発明によれば、ズームコントローラとフォーカス・絞りコントローラの一方又は両方をスタジオカメラアダプタに取り付けることにより、追加のパーン棒が不要となる。
【００１２】
以下、本発明の種々の実施形態を例示する。以下に示す実施形態は、互いに組み合わせ可能である。
好ましくは、前記底部の前端に設けられ且つスイッチャーからのタリー信号に従って制御されるタリー表示部をさらに備える。
好ましくは、前記底部の前端に設けられ且つカメラマンからのスタンバイ信号に従って制御されるスタンバイ表示部をさらに備える。
好ましくは、前記スタジオカメラアダプタ又は前記リモートコントローラは、カメラマンがスタンバイ信号を出力するためのスタンバイ信号出力部をさらに備え、前記スタンバイ信号が前記スタンバイ表示部に入力される。
好ましくは、前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部をさらに備える。
好ましくは、前記信号伝送アダプタ取付部の前記本体部側の面に設けられた信号中継器をさらに備える。
好ましくは、前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の一方を選択する映像選択信号の入力を受け付ける映像選択信号入力部と、前記映像選択信号の状態に従って前記カメラ映像信号と前記リターン映像信号の一方を出力する映像出力部とを備える。
好ましくは、前記側壁部の上部に設けられ且つビューファインダーを取付可能なビューファインダー取付部をさらに備える。
好ましくは、前記ビューファインダー取付部には複数台のビューファインダーが取付可能であり、
前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の両方を出力する映像出力部とを備え、
前記カメラ映像信号と前記リターン映像信号は、別々のビューファインダーに入力される。
好ましくは、前記信号中継器は、前記信号伝送アダプタからのタリー信号の入力を受け付けるタリー信号入力部と、前記タリー信号を出力するタリー信号出力部とを備える。
好ましくは、前記信号中継器は、カメラマンからのスタンバイ信号の入力を受け付けるスタンバイ信号入力部と、
前記スタンバイ信号を出力するスタンバイ信号出力部とを備える。
好ましくは、前記スタンバイ信号出力部から出力された前記スタンバイ信号は、スタンバイ表示部と、信号伝送アダプタの両方に出力され、前記スタンバイ信号は、前記伝送アダプタを通じて、スイッチャーに出力される。
本発明は、別の観点では、上記記載のスタジオカメラアダプタと、前記スタジオカメラアダプタの前記リモートコントローラ取付部に取付可能であり、且つ前記ポータブルビデオカメラのズーム・フォーカス・絞りのうちの少なくとも一つの調整に用いられるリモートコントローラとを備えるスタジオカメラアダプタシステムを提供する。
【図面の簡単な説明】
【００１３】
【図１】本発明の一実施形態のスタジオカメラアダプタ１にポータブルビデオカメラ３が取り付けられていない状態を示す示す右側面図である。
【図２】本発明の一実施形態のスタジオカメラアダプタ１にポータブルビデオカメラ３が取り付けられていない状態を示す示す左側面図である。
【図３】図１のスタジオカメラアダプタ１にポータブルビデオカメラ３が取り付けられた状態を示す図１に対応した図である。
【図４】図１のスタジオカメラアダプタ１に、ポータブルビデオカメラ３、ビューファインダー５、信号伝送アダプタ７が取り付けられ、且つスタジオカメラアダプタ１が三脚９に取り付けられている状態を示す斜視図である。
【図５】図４のスタジオカメラアダプタ１に、フォーカス・絞りコントローラ１１が取り付けられている状態を示す斜視図である。
【図６】図５ではパーン棒１３に取り付けられていたズームコントローラ１５がスタジオカメラアダプタ１に取り付けられている状態を示す斜視図である。
【図７】図６の状態から三脚９を除いた部分を示す左側面図である。
【図８】図７の状態からズームコントローラ１５を外し、信号伝送アダプタ７の取り付け部分を後方にスライドさせた状態を示す左側面図である。
【図９】２つのビューファインダーを利用する場合の、信号中継部１７の配線図である。
【図１０】信号中継部１７が映像を選択して出力する機能を有する場合の、信号中継部１７の配線図である。
【発明を実施するための形態】
【００１４】
以下、図１〜図１０を用いて、本発明の一実施形態のスタジオカメラアダプタ１について説明する。以下に示す実施形態は、例示であって、本発明は以下の実施形態には限定されない。
【００１５】
スタジオカメラアダプタ１は、ポータブルビデオカメラ３をスタジオカメラとして利用するために使用される。スタジオカメラアダプタ１は、ポータブルビデオカメラ３を取り付ける底部１ａと、底部１ａから立ち上がる側壁部１ｅを有する本体部と、側壁部１ｅに設けられ、且つポータブルビデオカメラ３のズーム・フォーカス・絞りのうちの少なくとも一つの調整に用いられるリモートコントローラを取り付けるためのリモートコントローラ取付部１ｈとを備える。
【００１６】
より具体的には、スタジオカメラアダプタ１は、図１〜図２に示すように、底部１ａと、底部１ａから立ち上がる側壁部１ｅを有する本体部と、側壁部１ｅに設けられた取付ブラケット１ｂと、取付ブラケット１ｂに設けられたリモートコントローラ取付部１ｈと、側壁部１ｅの上部に設けられたビューファインダー取付部１ｃと、本体部に設けられたレールに沿ってスライド可能に支持された信号伝送アダプタ取付部１ｄと、スタジオカメラアダプタ１の前端に設けられたタリー表示部１ｆ及びスタンバイ表示部１ｉを備える。
【００１７】
ポータブルビデオカメラ３は、図３に示すように、底部１ａに設置され、例えば、底部１ａに設けられたビス穴を通じて、ビスで底部１ａに固定することができる。本明細書において、「ポータブルビデオカメラ」とは、一般的なスタジオカメラよりも小型で持ち運びが容易なビデオカメラであり、ロケなどに一般的に使用されているものである。「ポータブルビデオカメラ」と規定しているのは、単にスタジオカメラと区別するためであり、「ポータブルビデオカメラ」の範囲は、その目的以上に狭く解釈すべきではない。
【００１８】
ビューファインダー取付部１ｃには、ビューファインダー５が設置される。ビューファインダー５は、ポータブルビデオカメラ３からのカメラ映像信号や、スイッチャーからのリターン映像信号を入力可能な映像入力端子を有し、この端子に入力された映像信号に基づく表示を行うことができるものであればよい。ビューファインダー取付部１ｃは、１台のビューファインダー５を取り付けることができるように構成されてもよいが、複数台のビューファインダー５を取り付けることができるように構成されていることが好ましい。カメラマンは、通常、自分が撮影している映像（「カメラ映像」）と、スイッチャーからのリターン映像の両方を確認しながら撮影を進めるが、これまでは、ビューファインダー５に表示される映像を切り替えて表示することが一般的であった。このような方法では、リターン映像を見ているときにはカメラ映像を見ることができないので、撮影を行いにくい。また、別の方法として、１つのビューファインダー５に複数の画面を設けて、カメラ映像とリターン映像の両方を同時に見る方法が考えられるが、このような方法では、ビューファインダー５に表示される映像の解像度が低くなってしまうので、実際の映像の確認が難しい。このような状況において、本発明者はビューファインダー取付部１ｃに複数台のビューファインダー５を取り付け、カメラ映像信号とリターン映像信号を別々のビューファインダー５に入力することによって、上記問題が解決されて、カメラマンは、高解像度のカメラ映像とリターン映像を同時に確認することが可能になった。
【００１９】
スタジオカメラアダプタ１は、図４〜図５に示すように、三脚９上に設置することができる。三脚９には、パーン棒１３が取り付けられており、パーン棒１３にはズームコントローラ１５が取り付けられている。フォーカス・絞りコントローラ１１は、図５に示すように、リモートコントローラ取付部１ｈに取り付けられる。リモートコントローラ取付部１ｈの構成は、使用するリモートコントローラを直接取り付けることができるように構成されていることが好ましい。上述したように、三脚９にパーン棒１３が１本しかない場合、そのパーン棒１３にズームコントローラ１５を付けてしまうと、フォーカス・絞りコントローラ１１を取り付けることができなかった。そのため、パーン棒１３を追加購入して三脚９に取り付けて、そのパーン棒１３にフォーカス・絞りコントローラ１１を取り付けていた。しかし、パーン棒１３の追加購入は手間とコストがかかることに加えて、スタジオの観客席のような狭い場所では、低い位置にあるパーン棒１３に取り付けてあるフォーカス・絞りコントローラ１１の操作は必ずしも容易ではなかった。本実施形態では、スタジオカメラアダプタ１の側壁部１ｅにリモートコントローラ取付部１ｈを設けており、ここにフォーカス・絞りコントローラ１１を取り付ければ、パーン棒１３の追加購入が不要であることに加えて、フォーカス・絞りコントローラ１１が比較的高い位置にあるので、非常に操作がしやすい。なお、本実施形態では、リモートコントローラ取付部１ｈは、取付ブラケット１ｂに形成し、取付ブラケット１ｂを側壁部１ｅに固定しているが、側壁部１ｅにリモートコントローラ取付部１ｈを直接形成してもよい。
【００２０】
図６〜図７に別の実施形態を示す。この実施形態では、ズームコントローラ１５とフォーカス・絞りコントローラ１１が、スタジオカメラアダプタ１の左右の側面部１ｅにそれぞれ設けられたリモートコントローラ取付部１ｈに取り付けられている。図５に示す実施形態では、ズームコントローラ１５がパーン棒１３に取り付けられているので、狭い場所では、ズームコントローラ１５が操作しづらいが、図６〜図７に示す実施形態では、ズームコントローラ１５とフォーカス・絞りコントローラ１１がスタジオカメラアダプタ１に取り付けられているので、どちらも操作しやすい。
【００２１】
スタジオカメラアダプタ１の底部１ａの前端には、タリー表示部１ｆ及びスタンバイ表示部１ｉが設けられる。タリー表示部１ｆは、スイッチャーからのタリー信号に従って制御され、スタンバイ表示部１ｉは、カメラマンからのスタンバイ信号に従って制御される。タリー表示部１ｆは、複数台のビデオカメラを用いて撮影を行うときに、スイッチャーが現在使用しているビデオカメラや、次に使用しているビデオカメラに点灯させることによって、番組スタッフや番組の出演者にどのカメラを意識すべきなのかを伝えるために利用される。一般には、ビューファインダー５にもタリー表示部は設けられているが、狭い場所では、ビューファインダー５を横向きにして（つまり、水平に９０度回転させた状態で）使用されることがある。このような場合、例えばビューファインダー５の背面側にタリー表示部が設けられているとビデオカメラの正面にいる人はタリー表示を確認することができない。一方、本実施形態では、タリー表示部１ｆが底部１ａの前端に設けられているので、ビューファインダー５をどのような方向に向けても、ビデオカメラの正面にいる人はタリー表示を容易に確認することができる。
【００２２】
また、従来の撮影システムでは、カメラマンがスイッチャーに対して自分のスタンバイが整っていることをアピールするには、インカムなどの音声によって行うしか方法がなかった。本実施形態では、スタジオカメラアダプタ１又はリモートコントローラ（例：ズームコントローラ１５、フォーカス・絞りコントローラ１１）にカメラマンがスタンバイ信号を出力するためのスタンバイ信号出力部を設けており、出力されたスタンバイ信号がスタンバイ表示部１ｉに入力されるようになっている。このような構成によって、カメラマンが被撮影者に対して、スタンバイ状況を知らせることが可能になる。また、スタンバイ信号は、信号伝送アダプタ７を通じてスイッチャーにも送信される。これによって、スイッチャーがカメラマンのスタンバイ状況を把握することができる。
【００２３】
スタジオカメラアダプタ１の本体部の後部には、信号伝送アダプタ取付部１ｄが設けられている。信号伝送アダプタ取付部１ｄは、通常使用時は、図５に示すように本体部と一体になっているが、信号中継部１７に配線を行う際には、図８に示すように、本体部（底部１ａ又は側壁部１ｅ）に設けられたレール１ｇに沿って、後方にスライド移動させることができるようになっている。信号伝送アダプタ取付部１ｄの本体部側の面には、信号中継部１７が取り付けられており、信号伝送アダプタ取付部１ｄを後方へスライド移動させることによって、信号中継部１７への配線が容易になる。
【００２４】
信号伝送アダプタ取付部１ｄには、スイッチャーとの間で信号の送受信を行うための信号伝送アダプタ７が取り付けられる。信号伝送アダプタ７は、電気信号のまま信号の送受信を行うものであってもよく、一端、光信号に変換して、光ケーブルを介して信号の送受信を行うものであってもよい。より具体的には、信号伝送アダプタ７は、ポータブルビデオカメラからのカメラ映像信号をスイッチャーに送信し、スイッチャーからのリターン映像信号を受信する。また、タリー信号、後述するスタンバイ信号、同期信号などの各種制御信号の送受信も行われる。
【００２５】
図９〜図１０の配線図に示すように、信号中継部１７は、種々の映像信号及び制御信号を中継する。信号中継部１７を介して信号伝送用の配線を行うことによって、ケーブルに余分な力が加わって断線することを防いだり、ケーブルの抜き差しの回数を減らしてコネクタの損傷を防いだりすることができる。
【００２６】
図９の配線では、カメラ映像信号とリターン映像信号の両方が信号中継部１７に入力され、カメラ映像信号とリターン映像信号は、そのまま、出力されて、第１ビューファインダー５と第２ビューファインダー５に入力される。このように、カメラ映像信号とリターン映像信号を別々のビューファインダーに出力することによって、カメラ映像とリターン映像を高解像度で同時に見ることができる。
【００２７】
図１０の配線では、信号中継部１７は、映像選択信号出力部から出力された映像選択信号（リターン信号）の入力を受け付ける映像選択信号入力部と、この映像選択信号の状態に従ってカメラ映像信号とリターン映像信号の一方を出力する映像出力部を備える。このような構成であれば、ビューファインダー５にリターン映像信号の入力端子がない場合であっても、ビューファインダー５にカメラ映像信号とリターン映像信号を切替えて表示させることができる。映像選択信号出力部（例：リターン信号出力ボタン）は、スタジオカメラアダプタ１に設けてもよく、リモートコントローラ（例：ズームコントローラ１５、フォーカス・絞りコントローラ１１）に設けてもよい。フォーカス・絞りコントローラ１１に映像選択信号出力部を設けた場合、例えば右手でズームコントローラ１５を操作しながら、左手で映像選択信号出力部を操作して、映像選択信号を出力することができる。フォーカス・絞りコントローラ１１は、フォーカスの調整に用いられるフォーカスコントローラであってもよい。
【００２８】
また、信号中継部１７は、図９の配線と図１０の配線との間で切り替え可能であることが好ましい。この場合、例えば、ビューファインダー５が１つである場合には、図１０のように、映像選択信号の状態に従って映像信号を出力し、ビューファインダー５が２つである場合には、カメラ映像信号とリターン映像信号をそのまま出力するようにすることができる。このような２つの配線の切り替えは、信号出力部にビューファインダー５が接続されているかどうかを検出して自動的に行なってもよく、又は信号中継部１７に設けられているスイッチを操作するなどの方法で手動で切替えるようにしてもよい。
【符号の説明】
【００２９】
１：スタジオカメラアダプタ、３：ポータブルビデオカメラ、５：ビューファインダー、７：信号伝送アダプタ、９：三脚、１１：フォーカス・絞りコントローラ、１３：パーン棒、１５：ズームコントローラ、１７：信号中継部
【図１】
2014082594.tif 000003
【図２】
2014082594.tif 000004
【図３】
2014082594.tif 000005
【図４】
2014082594.tif 000006
【図５】
2014082594.tif 000007
【図６】
2014082594.tif 000008
【図７】
2014082594.tif 000009
【図８】
2014082594.tif 000010
【図９】
2014082594.tif 000011
【図１０】
2014082594.tif 000012
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
ポータブルビデオカメラをスタジオカメラとして利用するために使用されるスタジオカメラアダプタであって、前記ポータブルビデオカメラを取り付ける底部と、前記底部から立ち上がる側壁部を有する本体部と、
前記側壁部に設けられ、且つ前記ポータブルビデオカメラのズーム・フォーカス・絞りのうちの少なくとも一つの調整に用いられるリモートコントローラを取り付けるためのリモートコントローラ取付部とを備え、以下の特徴のうちの少なくとも１つを備えるスタジオカメラアダプタ。
（ａ）前記底部の前端に設けられ且つカメラマンからのスタンバイ信号に従って制御されるスタンバイ表示部をさらに備える。
（ｂ）前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部と、前記信号伝送アダプタ取付部の前記本体部側の面に設けられた信号中継器をさらに備え、前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の一方を選択する映像選択信号の入力を受け付ける映像選択信号入力部と、前記映像選択信号の状態に従って前記カメラ映像信号と前記リターン映像信号の一方を出力する映像出力部とを備える。
（ｃ）前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部と、前記信号伝送アダプタ取付部の前記本体部側の面に設けられた信号中継器と、前記側壁部の上部に設けられ且つビューファインダーを取付可能なビューファインダー取付部をさらに備え、前記ビューファインダー取付部には複数台のビューファインダーが取付可能であり、前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の両方を出力する映像出力部とを備え、前記カメラ映像信号と前記リターン映像信号は、別々のビューファインダーに入力される。
【請求項２】
前記底部の前端に設けられ且つスイッチャーからのタリー信号に従って制御されるタリー表示部をさらに備える請求項１に記載のスタジオカメラアダプタ。
【請求項３】
前記スタジオカメラアダプタ又は前記リモートコントローラは、カメラマンがスタンバイ信号を出力するためのスタンバイ信号出力部をさらに備え、前記スタンバイ信号が前記スタンバイ表示部に入力される請求項１又は２に記載のスタジオカメラアダプタ。
【請求項４】
前記信号中継器は、前記信号伝送アダプタからのタリー信号の入力を受け付けるタリー信号入力部と、前記タリー信号を出力するタリー信号出力部とを備える請求項１〜請求項３の何れか１つに記載のスタジオカメラアダプタ。
【請求項５】
前記信号中継器は、カメラマンからのスタンバイ信号の入力を受け付けるスタンバイ信号入力部と、
前記スタンバイ信号を出力するスタンバイ信号出力部とを備える請求項１〜請求項４の何れか１つに記載のスタジオカメラアダプタ。
【請求項６】
前記スタンバイ信号出力部から出力された前記スタンバイ信号は、前記スタンバイ表示部と、前記信号伝送アダプタの両方に出力され、前記スタンバイ信号は、前記信号伝送アダプタを通じて、スイッチャーに出力される請求項５に記載のスタジオカメラアダプタ。
【請求項７】
請求項１〜請求項６の何れか１つに記載のスタジオカメラアダプタと、
前記スタジオカメラアダプタの前記リモートコントローラ取付部に取付可能であり、且つ前記ポータブルビデオカメラのズーム・フォーカス・絞りのうちの少なくとも一つの調整に用いられるリモートコントローラとを備えるスタジオカメラアダプタシステム。
【請求項８】
前記スタジオカメラアダプタは、請求項１〜請求項６の何れか１つに記載のスタジオカメラアダプタであり、
前記リモートコントローラは、少なくともフォーカスの調整に用いられであり、且つ前記映像選択信号を出力する映像選択信号出力部を備える請求項７に記載のスタジオカメラアダプタシステム。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
ポータブルビデオカメラをスタジオカメラとして利用するために使用されるスタジオカメラアダプタであって、前記ポータブルビデオカメラを取り付ける底部と、前記底部から立ち上がる側壁部を有する本体部と、
前記側壁部に設けられ、且つ前記ポータブルビデオカメラのズーム・フォーカス・絞りのうちの少なくとも一つの調整に用いられるリモートコントローラを取り付けるためのリモートコントローラ取付部とを備え、以下の（ａ）〜（ｃ）のうちの少なくとも１つを備えるスタジオカメラアダプタ。
（ａ）前記底部の前端に設けられ且つカメラマンからのスタンバイ信号に従って制御されるスタンバイ表示部をさらに備える。
（ｂ）前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部と、前記信号伝送アダプタ取付部の前記本体部側の面に設けられた信号中継器をさらに備え、前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の一方を選択する映像選択信号の入力を受け付ける映像選択信号入力部と、前記映像選択信号の状態に従って前記カメラ映像信号と前記リターン映像信号の一方を出力する映像出力部とを備える。
（ｃ）前記スタジオカメラアダプタは、前記本体部に設けられたレールに沿ってスライド可能に設けられ且つスイッチャーとの信号伝送に用いられる信号伝送アダプタが取付可能な信号伝送アダプタ取付部と、前記信号伝送アダプタ取付部の前記本体部側の面に設けられた信号中継器と、前記側壁部の上部に設けられ且つビューファインダーを取付可能なビューファインダー取付部をさらに備え、前記ビューファインダー取付部には複数台のビューファインダーが取付可能であり、前記信号中継器は、前記ポータブルビデオカメラからのカメラ映像信号の入力を受け付けるカメラ映像信号入力部と、前記信号伝送アダプタからのリターン映像信号の入力を受け付けるリターン映像信号入力部と、前記カメラ映像信号と前記リターン映像信号の両方を出力する映像出力部とを備え、前記カメラ映像信号と前記リターン映像信号は、別々のビューファインダーに入力される。
【請求項２】
前記底部の前端に設けられ且つスイッチャーからのタリー信号に従って制御されるタリー表示部をさらに備える請求項１に記載のスタジオカメラアダプタ。
【請求項３】
前記スタジオカメラアダプタ又は前記リモートコントローラは、カメラマンがスタンバイ信号を出力するためのスタンバイ信号出力部をさらに備え、前記スタンバイ信号が前記スタンバイ表示部に入力される請求項１又は２に記載のスタジオカメラアダプタ。
【請求項４】
前記信号中継器は、前記信号伝送アダプタからのタリー信号の入力を受け付けるタリー信号入力部と、前記タリー信号を出力するタリー信号出力部とを備える請求項１〜請求項３の何れか１つに記載のスタジオカメラアダプタ。
【請求項５】
前記信号中継器は、カメラマンからのスタンバイ信号の入力を受け付けるスタンバイ信号入力部と、
前記スタンバイ信号を出力するスタンバイ信号出力部とを備える請求項１〜請求項４の何れか１つに記載のスタジオカメラアダプタ。
【請求項６】
前記スタンバイ信号出力部から出力された前記スタンバイ信号は、前記スタンバイ表示部と、前記信号伝送アダプタの両方に出力され、前記スタンバイ信号は、前記信号伝送アダプタを通じて、スイッチャーに出力される請求項５に記載のスタジオカメラアダプタ。
【請求項７】
請求項１〜請求項６の何れか１つに記載のスタジオカメラアダプタと、
前記スタジオカメラアダプタの前記リモートコントローラ取付部に取付可能であり、且つ前記ポータブルビデオカメラのズーム・フォーカス・絞りのうちの少なくとも一つの調整に用いられるリモートコントローラとを備えるスタジオカメラアダプタシステム。
【請求項８】
前記スタジオカメラアダプタは、請求項１〜請求項６の何れか１つに記載のスタジオカメラアダプタであり、
前記リモートコントローラは、少なくともフォーカスの調整に用いられであり、且つ前記映像選択信号を出力する映像選択信号出力部を備える請求項７に記載のスタジオカメラアダプタシステム。